(57)【要約】【課題】本発明は、様々な種類の帽子に用いることが可能で、これらの帽子を、着用中の髪型が崩れにくい着用感に優れたものとすることができる帽子内装材及び、このような帽子内装材を用いた帽子を提供する。【解決手段】放射状に設けられている複数の柔軟性を有した突起取付片４の下側表面部に、ブラシ機能を有する複数の突起５を設ける。【選択図】　　図１
2004011064.tif 000002
【特許請求の範囲】
【請求項１】
帽子本体の内側に設けられている内装材であって、放射状に設けられている複数の柔軟性を有した突起取付片の下側表面部に、ブラシ機能を有する複数の突起が設けられていることを特徴としている帽子内装材。
【請求項２】
前記突起が弾力性を備えていることを特徴としている請求項１記載の帽子内装材。
【請求項３】
前記突起が、先端を半球形状に形成されていることを特徴としている請求項１または２記載の帽子内装材。
【請求項４】
前記帽子の内側に、請求項１〜３記載のいずれかの帽子内装材が設けられていることを特徴としている帽子。
【発明の詳細な説明】
【０００１】
【発明の属する技術分野】
髪型を崩すことなく着用できる帽子とすることができる帽子内装材及びその帽子に関するものである。
【０００２】
【従来の技術】
従来、本体の内側に内装材を装着して構成されている帽子に用いられている内装材は、ヘルメットに用いられるもので、ヘルメットの本体の内周面に、発泡スチロール等を用いて層状に形成した突起取付部の表面部に、プラスチック製の突起が複数設けられている内装材（特開平９−３１７３８号公報）等が知られている。また、同じくヘルメットに使用されているもので、ヘルメット本体の内周面に沿うように取り付けられている突起取付部と、複数の突起とが一体で形成されている内装材（実開昭６４−２０３２号公報）なども公知である。
【０００３】
これらの前記内装材は、前記突起を設けることにより、前記ヘルメットを着用した際に、前記ヘルメット本体の内周面と着用者の頭部表面との間に隙間を設け、着用者の頭髪を圧迫しないようにして髪型の崩れを防止している。
【０００４】
【発明が解決しようとする課題】
しかしながら、これらの前記内装材は、前記突起取付部の外周面が前記ヘルメット本体の内周面に合うように形成されているために、これらの前記内装材を別のヘルメット本体に使用する場合には、同じような形状を有している非常に限られた範囲のものにしか用いることができない。
【０００５】
また、特に、布材のような可撓性を有している帽子の本体に取り付けるには、形状が合あわず取り付けられない場合がある。
【０００６】
そこで本発明は、このような問題点に鑑み、様々な種類の帽子に用いることが可能で、装着した帽子を、着用中の髪型が崩れにくい着用感に優れたものとすることができる帽子内装材及び、このような帽子内装材を用いた帽子を提供することを目的とする。
【０００７】
【課題を解決するための手段】
上記の目的を達成するために、本発明にかかる請求項１記載の帽子内装材は、帽子本体の内側に設けられている内装材であって、放射状に設けられている複数の柔軟性を有した突起取付片の下側表面部に、ブラシ機能を有する複数の突起を設けることを特徴としている。
【０００８】
上記のような請求項１にかかる帽子内装材によれば、前記突起が設けられている前記突起取付片に柔軟性を持たせ、かつ放射状に設けることにより、様々な帽子本体の内周面の形状に合わせやすくすることができる。そして、ブラシ機能を有した前記突起により、取り付けた帽子本体の内周面と着用者の頭部表面との間に隙間を設けることができ、前記帽子本体の内周面が着用者の頭髪を圧迫しない帽子とすることができる。
【０００９】
さらに、設けられた前記隙間により、着用者の頭部表面の風通りを良くすることができる。
【００１０】
請求項２記載の帽子内装材は、突起を、弾力性を備えたものとすることを特徴としている。
【００１１】
請求項２記載の帽子内装材は、前記突起を、弾力性を備えたものとすることで、着用者の頭部への感触の良いものとすることができるとともに、着用者の頭部にフィットしやすいものとすることができる。
【００１２】
請求項３に記載の帽子内装材は、突起を、先端を半球形状に形成することを特徴としている。
【００１３】
請求項３に記載の帽子内装材によれば、前記突起の先端を、半球形状に形成することにより、取り付けた帽子を着用する際に、頭部への感触を良くすることができる。また、前記突起が、着用者の頭髪の間に入り込みやすいため、帽子に取り付けると、髪型を乱すことなく着用することのできる帽子とすることができる。
【００１４】
請求項４に記載の帽子は、帽子本体の内側に、請求項１〜３記載のいずれかの帽子内装材を設けていることを特徴としている。
【００１５】
請求項４に記載の帽子によれば、前記帽子本体の内側に設けられている前記帽子内装材の前記突起により、着用者の頭部表面と前記帽子本体の内周面とに隙間を設けることができるため、前記帽子本体が着用者の頭髪を圧迫すること防止することができる。
【００１６】
また、前記隙間により、着用者の頭部表面の風通しが良いため、頭部の蒸れを防止することができる。
【００１７】
【発明の実施の形態】
本発明にかかる帽子の実施の形態について図１〜１１を参照して説明する。
【００１８】
図１に示すような帽子内装材１は樹脂材料で形成されており、中央に円盤状の取付部２が設けられており、この取付部２の上面には、フック側のベルクロファスナ式テープ３が貼り付けられている。
【００１９】
また、取付部２には、縦長の長方形状に形成されている板状の突起取付片４が、長手方向の一端部を取り付けた状態で放射状に複数設けられている。このように設けられている各突起取付片４は、取付部２側と反対側の先端部が取付部２よりも下方に下がった状態となるように湾曲させて形成されている。また、各突起取付片４の下側表面部には、突起５が、取付部２付近から先端部まで所定の間隔で複数設けられている。
【００２０】
なお、板状の突起取付片４は、縦長の長方形状に限るものではなく、例えば縦長の略三角形や略楕円形、また所定の間隔ごとに幅を狭くして形成し曲がりやくした形状とすることもできる。
【００２１】
これらの突起５は、図２に示すように、突起取付片４の先端部の方向に向かって、棒状に突出させて形成されており、さらに先端部６を膨出させ球状に形成したものである。このように形成されている突起５は、髪通りが良く、尚かつ若干押さえつけても反発するようなブラシ機能を有している。
【００２２】
そして、このような帽子内装材１を、図３に示すように、取付部２の上面に貼り付けられているフック側のベルクロファスナ式テープ３を、布材を用いて形成されている帽子７の本体８内側の頭頂部にあらかじめ設けたパイル側のベルクロファスナ式テープ９（図５参照）に噛み合わせて取り付ける。
【００２３】
こうして取り付けられた帽子内装材１の各突起取付片４は、柔軟性を有しているため、本体８の内周面に沿った状態となる。
【００２４】
また、上記のように取り付けた帽子内装材１の突起取付片４の先端部を、図４に示すように、本体８の縁部を一定の幅で内側に折り返したような状態となるように設けられている汗止め部１０と、本体８の縁部との間に差し挟むようにしている。
【００２５】
このようにして帽子内装材１が取り付けられている帽子７を着用する際には、各突起５が帽子７の下方に向かって突出した状態となっているため、着用者の頭髪に、突起５がほぼ真直ぐの状態で先端部６から差し込まれるような状態となるため、突起５が髪の毛にからみにくく、着用者の髪型を乱しにくい。
【００２６】
そして、帽子７を着用した場合には、図６に示すように、突起５により着用者１１の頭部表面と本体８の内周面との間に隙間１２が設けられる。これにより、着用者１１の頭髪は、帽子７の本体８の内周面により圧迫されることがない。
【００２７】
また、隙間１２が設けられることにより、着用者１１の頭部表面の風通しが良くなり、着用中に、帽子７の内側に熱気がこもりにくい。
【００２８】
そして、帽子７を脱ぐ際にも、突起５は、着用者１１の頭部上方に、真っ直ぐに引き抜かれるような状態となるため、着用者１１は頭髪を乱すことなく帽子７を脱ぐことができる。
【００２９】
また帽子内装材１は、図７に示すような、主に、女性が畑仕事等を行う際に、日除け防止や防塵及び防寒用として着用している帽子１３に用いることもできる。
【００３０】
この帽子１３の本体１４は、布材を用いて頭から肩までを覆うことができるような形状に形成されおり、正面に着用者が顔を出すことのできる開口部１５が設けられている。そして、この開口部１５の上側の縁部には、略半円状のひさし１６が取り付けられている。さらに、開口部１５の下側の着用者１７のあごに位置する部分に、ベルクロファスナ式テープにより開閉可能な、留め部１８が設けられている。
【００３１】
このような帽子１３の本体１４に、帽子内装材１を取り付ける。この場合、帽子内装材１の取付部２以外に、各突起取付片４の外側表面の中間部と他端部とにもフック側のベルクロファスナ式テープ３を取り付けておき、これらのフック側のベルクロファスナ式テープ３を、本体１４の内周面にあらかじめ設けたパイル側のベルクロファスナ式テープ（図示せず）に、それぞれ噛み合わせる。
【００３２】
このようにして帽子内装材１を取り付けた、帽子１３を着用した場合、帽子７と同様に、突起５により本体１４の内周面と着用者１７の頭部表面との間に隙間１９が設けられる。この隙間１９により、あごの部分で留め部１８をしっかり留めた場合でも、着用者１７の頭髪は、本体１４の内周面で押さえ付けられることがないため、着用したままで長時間作業を行っても髪型が崩れにくい。さらに、設けられた隙間１９により空気が通りやすいため、炎天下での作業においても帽子１３の内側に熱気がこもりにくい。
【００３３】
なお、このような帽子１３に取り付ける帽子内装材１を、帽子１３の後側に位置する突起取付片４の長さが長めに形成されているものを用いることにより、着用者１７の後ろ髪が圧迫されることも防止することができる。
【００３４】
また、この帽子内装材１を帽子本体に別の方法で取り付けることもできる。例を上げると、図８に示すような帽子２０に取り付ける場合、図９に示すように、帽子内装材１の頭頂部中央と帽子２０の本体２１の頭頂部中央とに貫通孔２２，２３をそれぞれ設けておく。
【００３５】
次に、本体２１の内側に帽子内装材１を、貫通孔２２，２３が一致するように配置し、これらの貫通孔２２，２３に、本体２１の外側から取付片２４の嵌合部２５を貫通させる。
【００３６】
この取付片２４は、厚みのある円盤状に形成されている頭部２６を備え、頭部２６の底面部中央に、柱状の嵌合部２５が設けられているもので、嵌合部２５の先端部２７は、貫通孔２３よりもやや径が大きくなるように膨出させて形成されている。
【００３７】
このような形状に、嵌合部２５の先端部２７を形成しているため、帽子内装材１は、本体２１を取付片２４とで挟み込んだ状態で本体２１の内側にしっかりと留められることとなる。
【００３８】
なお、本実施例では、図９に示しているように、帽子内装材１の取り付け部２に貫通孔２２を設け、この貫通孔２２に取付片２４の嵌合部２５を、本体２１の外側から挿入するようにして帽子内装材１を留めているが、当然これに限るものではない。
【００３９】
例えば、図１０に示しているように、帽子内装材１の取付部２に、貫通孔２２から外周方向に向かって、貫通孔２２の径よりも若干幅の狭い切り欠き部２６を形成しておく。そして、嵌合部２５を本体２１の貫通孔２３に挿入し、先端側を内側に突出させた状態とした後に、嵌合部２５に、帽子内装材１の切り欠き部２６を沿わせるようにして、帽子内装材１をスライドさせ、貫通孔２３で留めるようにすることもできる。
【００４０】
また、帽子内装材１の突起取付片４は、本実施例のように湾曲した形状に限るものではなく、帽子内装材１を帽子の本体に取り付けた際に、本体の内周面に沿った状態となる形状であれば差し支えない。
【００４１】
そして、突起５の形状は、必ずしも上述のような形状である必要はなく、帽子本体の内周面と着用者の頭部表面との間に隙間を設けることができ、尚かつ、髪通りの良い細長い形状のものであれば用いることができる。
【００４２】
例えば、図１１のように、突起２７を細い棒状に形成するとともに、先端部２８を円錐状に形成し、尚かつ先端を半球形状にしたものを用いることもできる。このようにすれば、帽子を着用する際はもちろんのこと、帽子を脱ぐときにも、突起２７に髪の毛が引っかかることが全くないため、さらに頭髪を乱すことのない帽子とすることができる。
【００４３】
また、先端部だけでなく全体を円錐形状に形成するとともに、先端を半球形状に形成した突起を用いても良い。
【００４４】
なお、本実施例では、各突起５を突起取付片４の先端部の方向に向かって突出させて形成しているが、この各突起５を、逆方向の取付片２の方向に向かって突出させて形成すると、帽子を着用した際に、各突起５の先端部６がやや上方を向いた状態となり、風に煽られた場合でも帽子を取れにくくすることができる。
【００４５】
【発明の効果】
請求項１の帽子内装材は、内側にブラシ機能を有している複数の突起を設けているため、帽子に取り付けると、帽子の内周面が着用者の頭髪を圧迫することがなく、長時間着用した場合でも、髪型の崩れないものとすることができる。さらに、帽子の内周面と着用者の頭部表面との間には、突起による隙間が設けられるため、頭部表面の風通しが良くなり、着用中でも頭部が蒸れず、気温の高い日でも良好な着用感を備えた帽子とすることができる。
【００４６】
請求項２記載の帽子内装材は、突起を、弾力性を備えているものとすることにより、取り付けた帽子を着用した際、突起が頭部にフィットしやすいため被りやすく、また頭部に突起が当たる感触がソフトになるため、着用感の良い帽子とすることができる。
【００４７】
請求項３の帽子内装材は、突起の先端を半球形状に形成することにより、帽子に装着すると、突起が着用者の頭部へ当たる感触を、さらに良くすることができるため、着用感の良い帽子とすることができる。
【００４８】
また、突起の先端が、着用者の頭髪を押し退けやすくなり、突起の先端でも着用者の頭髪を圧迫したりすることがないため、着用中でも、被る前の着用者の髪型をより確実に維持することができるものとすることができる。
【００４９】
請求項４の帽子は、長時間着用しても髪型を崩すことなく、尚かつ、帽子本体の内側に熱気がこもらず頭部が蒸れないため、炎天下で長時間被っていても不快感を生じることなく被ることができる。
【図面の簡単な説明】
【図１】本発明にかかる突起内装材の斜視図である。
【図２】本発明にかかる突起取付片及び突起の断面図である。
【図３】本発明にかかる帽子の底面図である。
【図４】本発明にかかる突起取付片の取り付け状態を示す断面図である。
【図５】本発明にかかる帽子の一部を切り欠いた斜視図である。
【図６】本発明にかかる帽子の着用状態を示す側面図である。
【図７】本発明にかかる帽子の他の実施例の着用状態を示す斜視図である。
【図８】本発明にかかる他の帽子の実施例の一部を切り欠いた斜視図である。
【図９】図８の帽子の帽子内装材の取り付け状態を示す断面図である。
【図１０】本発明にかかる帽子内装材の他の実施例の取り付け部を示す拡大図である。
【図１１】本発明にかかる突起の他の実施例を示す断面図である。
【符号の説明】
１　帽子内装材
４　突起取付片
５　突起
７　帽子
８　本体
【図１】
2004011064.tif 000003
【図２】
2004011064.tif 000004
【図３】
2004011064.tif 000005
【図４】
2004011064.tif 000006
【図５】
2004011064.tif 000007
【図６】
2004011064.tif 000008
【図７】
2004011064.tif 000009
【図８】
2004011064.tif 000010
【図９】
2004011064.tif 000011
【図１０】
2004011064.tif 000012
【図１１】
2004011064.tif 000013